(57)【要約】【課題】液晶ディスプレイに重ねてもモアレが発生せず、光透過性とタッチ検出感度に優れた光透過性導電材料を提供する。【解決手段】センサー部として不規則な網目形状の金属細線パターンにより形成された列電極を有し、該センサー部は一定の周期Ｌにて絞り部分を有しており、絞り部分における金属細線とセンサー部が伸びる方向との間でなす平均角度をＣ、該絞り部分以外の部分における該平均角度をＤとした場合に、Ｄ＞Ｃの関係を満たす光透過性導電材料。【選択図】図８
2019179462.tif 000002
【特許請求の範囲】
【請求項１】
光透過性支持体上に、周辺配線部を介して端子部に接続されるセンサー部と、端子部に電気的に接続されていないダミー部を有し、該センサー部と該ダミー部は不規則な網目形状の金属細線パターンを有し、該センサー部は一定の周期Ｌにて絞り部分を有している列電極であって、センサー部の絞り部分において金属細線パターンを構成する細線と、該センサー部が伸びる方向との間でなす平均角度をＣとし、該センサー部の絞り部分以外の部分における金属細線パターンを構成する細線と、該センサー部が伸びる方向との間でなす平均角度をＤとしたとき、Ｄ＞Ｃの関係を満たすことを特徴とする光透過性導電材料。
【請求項２】
前記平均角度Ｃが３０°〜４０°である請求項１に記載の光透過性導電材料。
【発明の詳細な説明】
【技術分野】
【０００１】
本発明は、主にタッチパネルに用いられる光透過性導電材料に関し、特に投影型静電容量方式のタッチパネルの光透過性電極に好適に用いられる光透過性導電材料に関するものである。
【背景技術】
【０００２】
パーソナル・デジタル・アシスタント（ＰＤＡ）、ノートＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、表面型静電容量方式、投影型静電容量方式、抵抗膜方式などがある。抵抗膜方式のタッチパネルでは、タッチセンサーとなる光透過性電極として、光透過性導電材料と光透過性導電層付ガラスとがスペーサーを介して対向配置されており、光透過性導電材料に電流を流し光透過性導電層付ガラスにおける電圧を計測するような構造となっている。一方、静電容量方式のタッチパネルでは、タッチセンサーとなる光透過性電極として、基材上に光透過性導電層を有する光透過性導電材料を基本的構成とし、可動部分が無いことを特徴とすることから、高い耐久性、高い光透過率を有するため、様々な用途において適用されている。更に、投影型静電容量方式のタッチパネルは、多点を同時に検出することが可能であるため、スマートフォンやタブレットＰＣ等に幅広く用いられている。
【０００４】
従来、タッチパネルの光透過性電極に用いられる光透過性導電材料としては、基材上にＩＴＯ（酸化インジウムスズ）導電膜からなる光透過性導電層が形成されたものが使用されてきた。しかしながら、ＩＴＯ導電膜は屈折率が大きく、光の表面反射が大きいため、光透過性導電材料の光透過性が低下する問題があった。またＩＴＯ導電膜は可撓性が低いため、光透過性導電材料を屈曲させた際にＩＴＯ導電膜に亀裂が生じて光透過性導電材料の電気抵抗値が高くなる問題があった。
【０００５】
ＩＴＯ導電膜からなる光透過性導電層を有する光透過性導電材料に代わる材料として、光透過性支持体上に光透過性導電層として金属細線パターンを、例えば、金属細線パターンの線幅やピッチ、更にはパターン形状などを調整して網目形状の金属細線パターンを形成した光透過性導電材料が知られている。この技術により、高い光透過性を維持し、高い導電性を有する光透過性導電材料が得られる。網目形状の金属細線パターン（以下、金属パターンとも記載）が有する網目形状に関しては、各種形状の繰り返し単位を利用できることが知られており、例えば特開２０１３−３０３７８号公報（特許文献１）では、正三角形、二等辺三角形、直角三角形などの三角形、正方形、長方形、菱形、平行四辺形、台形などの四角形、（正）六角形、（正）八角形、（正）十二角形、（正）二十角形などの（正）ｎ角形、円、楕円、星形等の繰り返し単位、及びこれらの２種類以上の組み合わせパターンが開示されている。
【０００６】
上記した網目形状の金属パターンを有する光透過性導電材料の製造方法としては、支持体上に薄い触媒層を形成し、その上にレジストパターンを形成した後、めっき法によりレジスト開口部に金属層を積層し、最後にレジスト層及びレジスト層で保護された下地金属を除去することにより、金属パターンを形成するセミアディティブ方法が、例えば特開２００７−２８７９９４号公報、特開２００７−２８７９５３号公報などに開示されている。
【０００７】
また近年、銀塩拡散転写法を用いた銀塩写真感光材料を導電性材料前駆体として用いる方法が知られている。例えば特開２００３−７７３５０号公報、特開２００５−２５０１６９号公報や特開２００７−１８８６５５号公報等では、支持体上に物理現像核層とハロゲン化銀乳剤層を少なくともこの順に有する銀塩写真感光材料（導電性材料前駆体）に、可溶性銀塩形成剤及び還元剤をアルカリ液中で作用させて、金属（銀）パターンを形成させる技術が開示されている。この方式によるパターニングは均一な線幅を再現することができることに加え、銀は金属の中で最も導電性が高いため、他方式に比べ、より細い線幅で高い導電性を得ることができる。更に、この方法で得られた金属パターンを有する層はＩＴＯ導電膜よりも可撓性が高く折り曲げに強いという利点がある。
【０００８】
しかしながら、光透過性支持体上にこれらの金属パターンを有する光透過性導電材料は、液晶ディスプレイ上に重ねて配置されるため、金属パターンの周期と液晶ディスプレイの素子の周期とが干渉し、モアレが発生するという問題があった。近年は液晶ディスプレイには様々な解像度のものが使用されており、このことは上記した問題を更に複雑にしている。
【０００９】
この問題に対し、例えば特開２０１１−２１６３７７号公報、特開２０１３−３７６８３号公報（特許文献２）、特開２０１４−１７５１９号公報、特開２０１５−２１０６１５号公報（特許文献３）、特開２０１６−９３８６号公報（特許文献４）、特開２０１６−６２１７０号公報（特許文献５）、特開２０１６−９９９１９号公報（特許文献６）では、金属パターンとして、例えば「なわばりの数理モデル  ボロノイ図からの数理工学入門」（非特許文献１）などに記載された、古くから知られているランダムパターンを用いることで、干渉を抑制する方法が提案されている。
【００１０】
ところで、投影型静電容量方式のタッチセンサーでは、周辺配線部を介して端子部に接続される列電極を複数個有する２つの光透過性導電層が、絶縁層を介して互いの列電極が実質的に直交するように重ね合わされる。列電極の形状としては、前述した特許文献２〜６等に記載されるように、一方の列電極と他方の列電極とが交差する部分に絞りを設けたダイヤモンドタイプと呼ばれる形状が一般的に用いられている。
【００１１】
近年、タッチ検出の位置精度を高めるために、従来よりも狭い列電極間隔（ピッチ）が求められ、これに伴い前記したダイヤモンドタイプの列電極は絞りの部分で電極幅が更に狭くなっており、このことは列電極の抵抗が高くなる（検出精度が低下する）要因となっている。加えて、前記したランダムパターンでは、列電極の絞りの部分に含まれる金属細線の数が少なくなる場合があるため、列電極の抵抗が一層高くなる要因となっている。この問題に対し、国際公開第２０１４／１３６５８４号パンフレット（特許文献７）には、列電極の絞りの部分に、金属細線による不規則な多角形のセルが３個以上並ぶ導電フィルムが開示されている。しかしながら、絞りの部分に多数のセルを並べるためにはサイズの小さいセルを用いる必要があり、透過率の低下が避けられないという問題があった。
【先行技術文献】
【特許文献】
【００１２】
【特許文献１】特開２０１３−３０３７８号公報
【特許文献２】特開２０１３−３７６８３号公報
【特許文献３】特開２０１５−２１０６１５号公報
【特許文献４】特開２０１６−９３８６号公報
【特許文献５】特開２０１６−６２１７０号公報
【特許文献６】特開２０１６−９９９１９号公報
【特許文献７】国際公開第２０１４／１３６５８４号パンフレット
【非特許文献】
【００１３】
【非特許文献１】なわばりの数理モデル  ボロノイ図からの数理工学入門  （共立出版  ２００９年２月）
【発明の概要】
【発明が解決しようとする課題】
【００１４】
本発明の課題は、液晶ディスプレイに重ねてもモアレが発生せず、光透過性とタッチ検出感度に優れた光透過性導電材料を提供することである。
【課題を解決するための手段】
【００１５】
上記の課題は、以下の光透過性導電材料によって、基本的に解決される。
（１）光透過性支持体上に、周辺配線部を介して端子部に接続されるセンサー部と、端子部に電気的に接続されていないダミー部を有し、該センサー部と該ダミー部は不規則な網目形状の金属細線パターンを有し、該センサー部は一定の周期Ｌにて絞り部分を有している列電極であって、センサー部の絞り部分において金属細線パターンを構成する細線と、該センサー部が伸びる方向との間でなす平均角度をＣとし、該センサー部の絞り部分以外の部分における金属細線パターンを構成する細線と、該センサー部が伸びる方向との間でなす平均角度をＤとしたとき、Ｄ＞Ｃの関係を満たすことを特徴とする光透過性導電材料。
（２）前記平均角度Ｃが３０°〜４０°である（１）に記載の光透過性導電材料。
【発明の効果】
【００１６】
本発明により、液晶ディスプレイに重ねてもモアレが発生せず、光透過性とタッチ検出感度に優れた光透過性導電材料を提供することができる。
【図面の簡単な説明】
【００１７】
【図１】上方電極層と下方電極層の位置関係を示す概略図である。
【図２】本発明における上方電極層の一例を示す概略図である。
【図３】本発明における下方電極層の一例を示す概略図である。
【図４】本発明におけるダイヤモンドタイプの形状を説明する拡大概略図である。
【図５】本発明における細線の角度の計測範囲を説明する概略図である。
【図６】本発明における細線の角度を説明する概略図である。
【図７】本発明における平均角度Ｃと平均角度Ｄとの比較の一例を説明する概略図である。
【図８】本発明における平均角度Ｃと平均角度Ｄとの比較の別の例を説明する概略図である。
【図９】ボロノイ図形を説明するための図である。
【図１０】図８に示した図形を作成する方法を説明する概略図である。
【図１１】本発明における作図方法の一例を示す概略図である。
【図１２】境界部分の修正を説明する概略図である。
【図１３】実施例で使用する図形の概略図である。
【発明を実施するための形態】
【００１８】
以下、本発明について詳細に説明するにあたり、図面を用いて説明するが、本発明はその技術的範囲を逸脱しない限り様々な変形や修正が可能であり、以下の実施形態に限定されないことは言うまでもない。
【００１９】
投影型静電容量方式のタッチパネルは、複数の列電極を有する上方電極層と複数の列電極を有する下方電極層が絶縁層を介して、上方列電極と下方列電極の伸びる方向が交差するように重ね合わした構成となっている。より具体的には光透過性支持体を絶縁層とし、光透過性支持体の一方の面上に上方電極層、他方の面上に下方電極層を設け、上方列電極と下方列電極が交差するように配置する。あるいは、上方電極層と下方電極層をそれぞれ別の光透過性支持体上に設け、上方電極層の光透過性支持体側の面と、下方電極層の電極層を有する側の面を光学粘着テープ（ＯＣＡ）で貼合することで、上方列電極と下方列電極が交差するようにしても良い。図１は、上方電極層と下方電極層の位置関係を示す概略図であり、上方電極層１の光透過性支持体側の面と、下方電極層２の電極層を有する側の面を、図示しない光学粘着テープ（ＯＣＡ）で貼合する場合の位置関係を示している。実際には、これらは四隅の位置合わせマーク３に従って光学粘着テープ（ＯＣＡ）を介して隙間無く貼り合わされる。あるいは光学粘着テープ（ＯＣＡ）を絶縁層とし、上方電極層１と下方電極層２の電極層同士を対向させて貼り合わせても良い。尚、上方電極層１が有する列電極と下方電極層２が有する列電極が交差する角度は９０度が最も好ましく用いられるが、６０度以上１２０度以下の範囲内の任意の角度でも良く、更には４５度以上１３５度以下の範囲内の任意の角度であっても良い。また、図１には上方列電極の伸びる方向がｘ方向、下方列電極の伸びる方向がｙ方向の例を示したが、上方列電極の伸びる方向がｙ方向、下方列電極の伸びる方向がｘ方向であっても良い。
【００２０】
図２は、本発明における上方電極層の一例を示す概略図である。図２において、上方電極層１は、光透過性支持体４上に、センサー部２１とダミー部２２、周辺配線部２３及び端子部２４を有する。ここで、センサー部２１及びダミー部２２は網目形状の金属細線パターンから構成されるが、図２では便宜上、網目形状は図示せず、それらの範囲を仮の輪郭線ａ（実在しない線）で示している。また図２は、仮の輪郭線ａに沿って断線部を設けることで（センサー部とダミー部との境界部分に位置する金属細線パターンが断線部を有することで）、光透過性支持体４上にセンサー部２１及びダミー部２２を形成した例でもある。
【００２１】
図３は、本発明における下方電極層の一例を示す概略図である。図３において、下方電極層２は、光透過性支持体５上に、センサー部３１とダミー部３２、周辺配線部３３及び端子部３４を有する。ここで、センサー部３１及びダミー部３２は網目形状の金属細線パターンから構成されるが、図３においても便宜上、網目形状は図示せず、それらの範囲を仮の輪郭線ｂ（実在しない線）で示している。また図３は、仮の輪郭線ｂに沿って断線部を設けることで（センサー部とダミー部との境界部分に位置する金属細線パターンが断線部を有することで）、光透過性支持体５上にセンサー部３１及びダミー部３２を形成した例でもある。
【００２２】
前述した図２のセンサー部２１は周辺配線部２３を介して端子部２４に電気的に接続しており、この端子部２４を通してセンサー部２１を外部に電気的に接続することで、センサー部２１で感知した静電容量の変化を捉えることができる。一方、仮の輪郭線ａに沿った位置に断線部を設けることによってダミー部２２が形成されている。このように、端子部２４に電気的に接続していない金属細線パターンは本発明では全てダミー部となる。本発明において周辺配線部２３及び端子部２４は、例えばディスプレイ装置の額縁内などに配置される場合などでは特に光透過性を有する必要はないため、ベタパターン（光透過性を有さないパターン）でも良く、あるいは額縁外に配置されるなどして光透過性が求められる場合などでは、センサー部２１やダミー部２２などの様に網目形状の金属細線パターンにより形成されていても良い。以下、上方電極層を用いて本発明の説明を続けるが、下方電極層においても方向（図中ｘｙ）が変わる以外は同様である。
【００２３】
図２において上方電極層１は、光透過性導電層面内において、第一の方向（図中ｘ方向）に伸びたセンサー部２１がダミー部２２を挟んで第一の方向に対し垂直な第二の方向（図中ｙ方向）に対し、周期Ｐにて複数列並ぶことで構成される。センサー部２１の周期Ｐは、タッチセンサーとしての分解能を保つ範囲で任意の長さを設定することができる。また、センサー部２１の幅（ｙ方向におけるセンサー部２１の長さ）も、タッチセンサーとしての分解能を保つ範囲で任意に設定することができ、それに応じてダミー部２２の形状や幅も任意に設定することができる。
【００２４】
センサー部２１は第一の方向（図中ｘ方向）に周期的に絞り部分を有することで、周期的に同じ形状を繰り返した輪郭形状を有することが好ましい。図２では、センサー部２１に周期Ｌ（図３で示した下方列電極がＸ方向に並ぶ周期Ｌ）にて絞り部分を設けた本発明の例（ダイヤモンドタイプの例）を示した。図４は本発明におけるダイヤモンドタイプの形状を説明する拡大概略図である。図４において、センサー部２１は第一の方向（図中ｘ方向）に伸びており、センサー部２１の幅は一定ではなくｘ方向の位置により異なっている。図中Ｌ２が最も幅が狭い部分であり、Ｌ１及びＬ３は最も幅が狭い部分と最も幅が広い部分の間で幅が連続的に変化している部分である。最も幅が狭い部分の幅はＷである。図中４１はＷ×Ｌ２の部分であり、本発明における絞り部分に相当する箇所である。また、センサー部内のその他の部分であるＬ１及びＬ３で構成される部分を、本発明ではダイヤモンド部分と呼ぶ。
【００２５】
絞り部分４１の大きさはタッチパフォーマンスに応じて任意に設定することができるが、Ｗが小さ過ぎる場合にはセンサーの抵抗が高くなり、大き過ぎる場合には下方電極層のセンサーとの重複部分が大きくなるため、どちらもタッチパフォーマンスの低下を引き起こし好ましくない。センサー部２１における最も幅が狭い部分の長さ（センサー部が伸びる方向における絞り部分４１の長さ）Ｌ２は、下方電極層の絞り部分４１の大きさに応じて適宜決めることができる。好ましいＷの範囲は１．０〜２．０ｍｍ、好ましいＬ２の範囲は１．５〜３．０ｍｍである。図４では、Ｗ＝１．５ｍｍ、Ｌ２＝２．２５ｍｍ時の拡大図を示した。
【００２６】
なお本発明において、センサー部における絞り部分の最も幅が狭い箇所の長さ（図４におけるＬ２）があまりにも短い場合は、後述する角度（金属細線パターンを構成する細線とセンサー部が伸びる方向との間でなす角度）を計測する範囲に含まれる細線が少なくなって角度の平均値が偏ることがあるため、Ｌ２の長さは、後述する角度を計測する範囲に含まれる細線数が１０本以上となる長さであることが好ましい。また、センサー部の輪郭線（図２における仮の輪郭線ａ、および図３における仮の輪郭線ｂ）はセンサー部とダミー部を分ける金属細線の断線部を結んだ、実在しない境界線であって、センサー部の最も幅が狭い部分におけるセンサー部の輪郭線がそれぞれ直線状で平行である場合は、図４に示すとおり、本発明のセンサー部の最も幅が狭い部分の範囲は明確となる。一方、本発明ではセンサー部の輪郭線が直線でない場合や平行でない場合は、センサー部の最も幅が狭い部分の長さＬ２範囲は、センサー部の最も幅が狭い位置におけるセンサー部の幅に対し１．１倍までの幅を有する位置を含む範囲とする（なお、最も幅の狭い部分の範囲は連続していても連続していなくても良い。）。
【００２７】
図５は、本発明における細線の角度の計測範囲を説明する概略図である。図５において（５−ａ）はセンサー部の絞り部分の金属細線パターンを構成する細線を説明する図である。センサー部が有する網目形状は、後述する不規則な網目形状であるボロノイ図形である。図中、絞り部分を枠５１で示した。この枠５１の中にその一部分でも含まれる細線を、絞り部分の金属細線パターンを構成する細線とする。（５−ｂ）は（５−ａ）の枠５１の部分を拡大した図であり、絞り部分にその一部でも含まれ絞り部分の金属細線パターンを構成する細線の数（多角形の辺の数）は８７本である。
【００２８】
図６は本発明における細線の角度（金属細線パターンを構成する細線と、センサー部が伸びる方向との間でなす角度）を説明する図である。前述した図５（５−ｂ）に記載した細線５２を例として取り上げる。図６において、センサーの伸びる方向は図中ｘ方向である。図６では細線５２の中点を通りｘ方向に平行な直線を補助線６１として示している。本発明では、金属細線パターンを構成する細線と列電極であるセンサー部が伸びる方向との間でなす角度は０°〜９０°の範囲で表すものとし、図６の場合、該角度は角ｃ＝角ｅ＝６３．３９°となる。そして、このような手法にて図５の（５−ｂ）で示した８７本の細線について、それぞれ角度を測定し、その平均角度Ｃを求めると、該平均角度は４７．１２°であった。従って、センサー部の絞り部分の前記金属細線パターンを構成する細線とセンサーの伸びる方向との間でなす平均角度Ｃは４７．１２°となる。
【００２９】
図７は本発明における平均角度Ｃと平均角度Ｄとの比較の一例を説明する概略図である。図７において枠７１は図５の枠５１と同じ金属細線パターンを有する絞り部分を示しており、該絞り部分を構成する細線の数は８７本である。８７本の細線の平均角度は前述の通り、４７．１２°である。一方、枠７２は枠７１と合同の枠であり、ダイヤモンド部分の中心部において枠７１と同じ面積範囲を有している。本発明では、平均角度Ｄはダイヤモンド部分を構成する金属細線と、センサー部が伸びる方向との間でなす角度の平均角度であるが、ダイヤモンド部分の上部、中部、下部等の任意の３カ所からそれぞれ無作為に抽出した３０本以上の細線の角度の平均値の最大値と最小値の差が５°以下の場合は、全体的に同じ角度分布を持つと見なし、便宜的に絞り部分と同じ面積範囲を標本として、ダイヤモンド部分中心部から抽出することができる。図７の測定値は、上部３０本の平均値４４．８０°、中部３０本の平均値４４．２９°、下部３０本の平均値４４．７０°であり、ダイヤモンド部分が全体的に同じ角度分布を持つと見なすことができる例である。絞り部分を構成する細線と同様に枠７２内にその一部分でも含まれる細線を計測した結果、細線の数は９３本であり、その平均角度は４４．０９°であった。この場合、Ｄ（＝４４．０９°）＜Ｃ（＝４７．１２°）となり、図７は本発明の要件は満たさない。なお、センサー部の絞り部分以外の部分を構成する金属細線が全体的に同じ角度分布を持つと見なすことができない場合には、ダイヤモンド部分を構成する金属細線すべての細線の平均角度を平均角度Ｄとする。
【００３０】
図８は本発明における平均角度Ｃと平均角度Ｄとの比較の別の例を説明する概略図である。枠８１は絞り部分を示しており、絞り部分を構成する細線の数は７９本である。７９本の細線と、センサー部が伸びる方向との間でなす角度を測定し平均値を求めたところ、３６．６９°であった。図８において、前記した方法に従いダイヤモンド部の任意の３カ所について平均値の最大値と最小値を調べたところ、ダイヤモンド部分を構成する金属細線が全体的に同じ角度分布を持つと見なすことができた。枠８２は枠８１と合同の枠であり、枠８２は図７の枠７２と同じ場所を示している。枠８２を構成する細線の数は９３本であり、その平均角度は４４．０９°であった。この場合、Ｄ（＝４４．０９°）＞Ｃ（＝３６．６９°）となるから、図８は本発明の要件を満たす一例である。
【００３１】
本発明によってモアレが発生せず、光透過性とタッチ検出感度に優れた光透過性導電材料が得られる理由は定かではないが、次の様に考えられる。センサー部の絞り部分の細線は列電極の伸びる方向に配向している方が、列電極の低抵抗化に繋がり好ましいと考えられる。一方、ダイヤモンド部分は特に境界部分において静電容量変化を検知するため、配向性のない方が偏りのない検知が可能となり好ましい。このことから、Ｄ＞Ｃであることが必要と考えられる。本発明において角度Ｄは４３°〜４７°が好ましく４４°〜４６°が特に好ましい。角度Ｃは４０°以下が好ましいが、角度Ｃが低すぎると上方電極層１と下方電極層２を重ねた際に特異なパターンが視認される場合があり、３０°〜４０°の範囲が特に好ましい。前述した特許文献２〜７などの従来技術では、絞り部分とダイヤモンド部分の区別はなく同じ条件で生成されたランダム図形を用いている。このため、角度Ｃと角度Ｄは概ね等しい角度であり、本発明の効果を得ることはできない。
【００３２】
次に、本発明において好ましく用いられるセンサー部及びダミー部を構成する不規則な網目形状を有する金属細線パターンについて説明する。不規則な図形としては、例えばボロノイ図形やドロネー図形、ペンローズ・タイル図形などに代表される不規則幾何学形状によって得られた図形を例示することができるが、本発明では母点に対して設けられたボロノイ辺からなる網目形状（以下、ボロノイ図形と記載）が好ましく用いられる。ボロノイ図形を用いることで、視認性（金属細線パターンの難視認性）に優れたタッチパネルを構成することが可能な光透過性導電材料を得ることができる。ボロノイ図形とは、情報処理などの様々な分野で応用されている公知の図形である。
【００３３】
図９はボロノイ図形を説明するための図である。図９の（９−ａ）において示した様に、平面９０上に複数の母点９１１が配置されている時、一つの任意の母点９１１に最も近い領域９１（ボロノイ領域と呼ぶ）と、他の母点に最も近い領域９１とを境界線９２で区切ることで、平面９０を分割した場合に、各領域９１の境界線９２をボロノイ辺と呼ぶ。ボロノイ辺は任意の母点と近接する母点とを結んだ線分の垂直二等分線の一部になる。ボロノイ辺を集めてできる図形をボロノイ図形と呼ぶ。
【００３４】
母点を配置する方法について、図９の（９−ｂ）を用いて説明する。本発明においては、平面９０を多角形で区切り、その区切りの中に不規則に母点９１１を配置する方法が好ましく用いられる。平面９０を区切る方法としては、単一形状あるいは２種以上の形状の複数の多角形（以降、原多角形と称する）によって平面９０を平面充填し、原多角形の重心と原多角形の各頂点を結んだ直線あるいは延長線上の、重心から原多角形の各頂点の距離の任意の割合の位置を結び拡大／縮小多角形を作成し、この拡大／縮小多角形にて平面９０を区切る方法が好ましい。このようにして平面９０を区切った後、拡大／縮小多角形の中にランダムに、母点を１つ配置する。図９の（９−ｂ）においては、正方形である原多角形９３により平面９０を平面充填し、次にその原多角形の重心９４と原多角形の各頂点を結んだ直線の、重心９４から原多角形の各頂点までの８０％の位置を結んでできる縮小多角形９５を作成し、該縮小多角形９５の中に母点９１１を不規則に各々１つ配置している。
【００３５】
本発明においては「砂目」を予防するために図９の（９−ｂ）の様に単一の形状及び大きさの原多角形９３で平面充填することが好ましい。尚、「砂目」とは不規則な図形の中に、特異的に図形の密度の高い部分と低い部分が現れる現象である。また、前記の拡大／縮小多角形の原多角形の重心と原多角形の各頂点を結んだ直線あるいは延長線上の、重心から原多角形の各頂点までの位置の割合は、１０〜３００％の範囲が好ましい。３００％を超えると砂目現象が現れる場合があり、１０％未満では、ボロノイ図形に高い規則性が残り、液晶ディスプレイと重ねた時にモアレが生じる場合がある。
【００３６】
原多角形９３の形状は正方形、長方形、菱形などの四角形、三角形、六角形が好ましく、中でも砂目現象を予防する観点から四角形が好ましい。原多角形の一辺の長さは好ましくは１００〜２０００μｍ、より好ましくは１２０〜８００μｍである。なお、センサー部２１とダミー部２２が有する金属細線パターンの線幅は、導電性と光透過性を両立する観点から１〜２０μｍであることが好ましく、より好ましくは２〜７μｍである。
【００３７】
本発明の光透過性導電材料が有する金属細線パターンを作成する方法の一例について説明する。図１０は図８に示した図形を作成する方法を説明する概略図である。図１０において、図８のＬ２を含むｘ方向部分（Ｘ１１〜Ｘ１６）をｘ方向に２／３倍に縮小している。縮小する前の状態においては、平面は１６×１６の正方形（原多角形）で充填されていた。図１０では、絞り部分に相当する位置（Ｘ１１〜Ｘ１６）をｘ方向に２／３倍に縮小しているため、その部分の原多角形はｘ方向に圧縮され、正方形から長方形に変形している。次に、原多角形の重心から原多角形の各頂点までの８０％の位置を結んでできる縮小多角形を作成し（図示せず）、該縮小多角形の中に母点を不規則に各々１つ配置している。このように配置された母点から、ボロノイ図形を作図する。そして、ｘ方向に２／３倍に縮小した部分（Ｘ１１〜Ｘ１６）のボロノイ図形をｘ方向に３／２倍に拡大する。このようにして得られた図形を図１１に示した。図１１では、センサー部の絞り部分（Ｌ２）は元の大きさに戻っている。図１１では、図８と同様に枠８１と枠８２は合同の枠である。前記した縮小と拡大の倍率は、掛け合わせて元の大きさ（１倍）になる組み合わせであればいずれでも良いが、縮小倍率は１／３〜９／１０、拡大倍率は１０／９〜３の範囲が本発明の角度範囲を得るために好ましい。
【００３８】
図１２は境界部分の修正を説明する概略図である。図１２の（１２−ａ）および（１２−ｂ）において示した直線１２１は、先の図１１におけるＸ１０とＸ１１の境界であり、前述した手順でｘ方向の縮小、拡大を行った後の、境界の様子を示したものである。細線１２２と細線１２３は、３／２倍に拡大する前（図１０の状態）では、直線状の線分であったが（図示せず）、直線１２１を境に右側をｘ方向に３／２倍に拡大したため、２つの線分で形成される、直線１２１を境に屈曲した細線になっている（１２−ａ）。この屈曲した細線を元の１つの線分に修正する。修正後の細線を（１２−ｂ）の細線１２６に示した。細線１２６は３／２倍に拡大した後の線分の始点、終点に相当する点１２４と点１２５を直線で結んでいる。同様にＸ１６とＸ０１の境界部分についても修正を行い、図８に示した本発明の図形を得ることができる。
【００３９】
先の図２の説明において述べたように、センサー部とダミー部の間には電気的な接続はない。仮の輪郭線ａに沿った位置に断線部を設けることにより、ダミー部２２が形成される。さらに、仮の輪郭線ａに沿った位置に加え、ダミー部内の位置に複数の断線部を設けてもよい。断線部分の金属細線が途切れている長さは３〜１００μｍであることが好ましく、より好ましくは５〜２０μｍである。
【００４０】
本発明においてセンサー部２１とダミー部２２は網目形状の金属細線パターンにより形成される。かかる金属としては金、銀、銅、ニッケル、アルミニウム、及びこれらの複合材からなることが好ましい。また周辺配線部２３及び端子部２４もセンサー部２１やダミー部２２と同じ組成の金属により形成される金属細線パターンとすることは、生産効率の観点から好ましい。これら金属細線パターンを形成する方法としては、銀塩感光材料を用いる方法、同方法を用い更に得られた銀画像に無電解めっきや電解めっきを施す方法、スクリーン印刷法を用いて銀ペースト、銅ペーストなどの導電性インキを印刷する方法、銀インクや銅インクなどの導電性インクをインクジェット法で印刷する方法、あるいは蒸着やスパッタなどで導電性層を形成し、その上にレジスト膜を形成し、露光、現像、エッチング、レジスト層除去することで得る方法、銅箔などの金属箔を貼り、更にその上にレジスト膜を形成し、露光、現像、エッチング、レジスト層除去することで得る方法など、公知の方法を用いることができる。中でも製造される金属細線パターンの厚みが薄くでき、更に極微細な金属細線パターンも容易に形成できる銀塩拡散転写法を用いることが好ましい。
【００４１】
上記した手法により作製された金属細線パターンの厚みは、厚すぎると後工程（例えば他部材との貼合等）が困難になる場合があり、また薄すぎるとタッチパネルとして必要な導電性を確保し難くなる。よって、その厚みは好ましくは０．０１〜５μｍ、より好ましくは０．０５〜１μｍである。
【００４２】
本発明の光透過性導電材料において、センサー部２１とダミー部２２の全光線透過率は好ましくは８０％以上、より好ましくは８５％以上、更には９０％以上であることが特に好ましい。また、センサー部２１とダミー部２２の全光線透過率は、その差が０．５％以内であることが好ましく、より好ましくは０．１％以内であり、更には同じであることが特に好ましい。センサー部２１とダミー部２２のヘイズ値は２以下が好ましい。更にセンサー部１１とダミー部１２の色相を表すｂ＊値は２以下が好ましく、１以下がより好ましい。
【００４３】
本発明の光透過性導電材料が有する光透過性支持体としては、ガラスやあるいはポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等などの公知の光透過性を有する支持体が例示される。ここで光透過性とは全光線透過率が６０％以上であることを意味し、全光線透過率は８０％以上であることがより好ましい。光透過性支持体の厚みは５０μｍ〜５ｍｍであることが好ましい。また光透過性支持体は指紋防汚層、ハードコート層、反射防止層、防眩層などの公知の層を有していても良い。
【００４４】
本発明において、図１の様に上方電極層１の光透過性支持体側と下方電極層２の電極層を有する側の面を光学粘着テープ（ＯＣＡ）で貼合する場合、あるいは電極層同士を対向させた構成（絶縁層としてＯＣＡが配置された構成）とする場合に使用されるＯＣＡの粘着剤としては、例えば、ゴム系粘着剤、アクリル系粘着剤、シリコーン系粘着剤、ウレタン系粘着剤など公知のもので、接着後に光透過性である樹脂組成物を好ましく用いることができる。
【実施例】
【００４５】
以下、本発明に関し実施例を用いて詳細に説明するが、本発明はその要旨を超えない限り、以下の実施例に限定されるものではない。
【００４６】
＜光透過性導電材料１＞
光透過性支持体として、厚み１００μｍ、全光線透過率９２％のポリエチレンテレフタレートフィルムを用いた。
【００４７】
次に下記処方に従い、物理現像核層塗液を作製し、上記光透過性支持体上に塗布、乾燥して物理現像核層を設けた。
【００４８】
＜硫化パラジウムゾルの調製＞
Ａ液    塩化パラジウム                                  ５ｇ
塩酸                                          ４０ｍｌ
蒸留水                                    １０００ｍｌ
Ｂ液    硫化ソーダ                                  ８．６ｇ
蒸留水                                    １０００ｍｌ
Ａ液とＢ液を撹拌しながら混合し、３０分後にイオン交換樹脂の充填されたカラムに通し硫化パラジウムゾルを得た。
【００４９】
＜物理現像核層塗液の調製＞銀塩感光材料の１ｍ２あたりの量
前記硫化パラジウムゾル（固形分として）              ０．４ｍｇ
２質量％グリオキサール水溶液                        ２００ｍｇ
界面活性剤（Ｓ−１）                                    ４ｍｇ
デナコール（登録商標）ＥＸ−８３０                    ２５ｍｇ
（ナガセケムテックス（株）製ポリエチレングリコールジグリシジルエーテル）
１０質量％エポミン（登録商標）ＨＭ−２０００水溶液  ５００ｍｇ
（（株）日本触媒製ポリエチレンイミン；平均分子量３０，０００）
【００５０】
続いて、光透過性支持体に近い方から順に下記組成の中間層、ハロゲン化銀乳剤層、及び保護層を上記物理現像核液層の上に塗布、乾燥して、銀塩感光材料を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００５１】
＜中間層組成＞銀塩感光材料の１ｍ２あたりの量
ゼラチン                                            ０．５ｇ
界面活性剤（Ｓ−１）                                    ５ｍｇ
染料１                                                ５０ｍｇ
【００５２】
【化１】
2019179462.tif 000003
【００５３】
【化２】
2019179462.tif 000004
【００５４】
＜ハロゲン化銀乳剤層１組成＞銀塩感光材料の１ｍ２あたりの量
ゼラチン                                            ０．５ｇ
ハロゲン化銀乳剤                                    ３．０ｇ銀相当
１−フェニル−５−メルカプトテトラゾール                ３ｍｇ
界面活性剤（Ｓ−１）                                  ２０ｍｇ
【００５５】
＜保護層１組成＞銀塩感光材料の１ｍ２あたりの量
ゼラチン                                                １ｇ
不定形シリカマット剤（平均粒径３．５μｍ）            １０ｍｇ
界面活性剤（Ｓ−１）                                  １０ｍｇ
【００５６】
このようにして得た銀塩感光材料に、図２のパターンの画像を有する透過原稿を密着し、水銀灯を光源とする密着プリンターで４００ｎｍ以下の光をカットする樹脂フィルターを介して露光した。なお該透過原稿では、図中ｘ方向に伸びたセンサー部２１は、ダミー部２２を挟んで該ｘ方向に垂直なｙ方向に６．０ｍｍの周期で１０本並んでおり、該センサー部２１はｘ方向に６．０ｍｍの周期でダイヤモンド部分と絞り部分が設けられている。
【００５７】
該透過原稿において、センサー部２１並びにダミー部２２が有する金属細線パターンとして、図７に示したボロノイ図形を用いた。かかるボロノイ図形を得るにあたり、まず一辺の長さが３７５μｍの正方形を原多角形として平面を充填し、次にこれら原多角形の重心から各頂点までの長さに対して８０％の位置を結んで出来る縮小多角形を作成し、該縮小多角形の中に母点を不規則に各々１つ配置した。このように配置された母点に基づきボロノイ図形を作図した。ボロノイ図形の線幅は５μｍであり、センサー部２１とダミー部２２との境界には幅２０μｍの断線部を設けた。また周辺配線２３の線幅は５０μｍである。
【００５８】
その後、下記拡散転写現像液中に２０℃で６０秒間浸漬した後、続いてハロゲン化銀乳剤層、中間層、及び保護層を４０℃の温水で水洗除去し、乾燥処理して、上方電極層として金属銀画像を有する光透過性導電材料１を得た。以下に示す他の光透過性導電材料も含め、得られた光透過性導電材料が有する光透過性導電層の金属銀画像は、用いた透過原稿が有する画像パターンと同じ形状、同じ線幅であった。絞り部分の細線の平均角度Ｃは４７．１２°、ダイヤモンド部分の細線の平均角度Ｄは４４．０９°であり、該光透過性導電層は本発明の要件であるＤ＞Ｃの関係を満たさない。
【００５９】
＜拡散転写現像液組成＞
水酸化カリウム                                        ２５ｇ
ハイドロキノン                                        １８ｇ
１−フェニル−３−ピラゾリドン                          ２ｇ
亜硫酸カリウム                                        ８０ｇ
Ｎ−メチルエタノールアミン                            １５ｇ
臭化カリウム                                        １．２ｇ
全量を水で１０００ｍｌに、ｐＨ＝１２．２に調整した。
【００６０】
＜光透過性導電材料２＞
光透過性導電材料１を得る際に使用した図２のパターンの画像を有する透過原稿を作成するにあたり、センサー部２１並びにダミー部２２が有する金属細線パターンとして、図８に示したボロノイ図形を用いた以外は同様にして透過原稿を得た。かかるボロノイ図形を得るにあたり、まず一辺の長さが３７５μｍの正方形を原多角形として平面を充填し、図２のセンサー部２１が有する絞り部分に相当する位置の原多角形をｘ方向に２／３倍にて縮小した。次に原多角形およびｘ方向に２／３倍にて縮小した原多角形について、これら原多角形の重心から各頂点までの長さに対して８０％の位置を結んで出来る縮小多角形を作成し、該縮小多角形の中に母点を不規則に各々１つ配置した。このように配置された母点に基づきボロノイ図形を作図し、先に２／３倍にて縮小した部分のボロノイ図形をｘ方向に３／２倍拡大した。かかる透過原稿を用いた以外は、同様にして光透過性導電材料２を得た。かかる光透過性導電材料２における絞り部分の細線の平均角度Ｃは３６．６９°、ダイヤモンド部分の細線の平均角度Ｄは４４．０９°であり、該光透過性導電層は本発明の要件であるＤ＞Ｃの関係を満たす。
【００６１】
＜光透過性導電材料３＞
光透過性導電材料２を得る際に使用した図２のパターンの画像を有する透過原稿を作成するにあたり、センサー部２１並びにダミー部２２が有する金属細線パターンとして、図８の図形の作成方法におけるＸ１１〜Ｘ１６部分のｘ方向原多角形縮小倍率を１／３倍に変え、その後のボロノイ図形のｘ方向拡大倍率を３倍に変えて得られた図形を用いる以外は同様にして、光透過性導電材料３を得た。絞り部分の細線の平均角度Ｃは２５．６７°、ダイヤモンド部分の細線の平均角度Ｄは４４．０９°であり、該光透過性導電層は本発明の要件であるＤ＞Ｃの関係を満たす。
【００６２】
＜光透過性導電材料４＞
光透過性導電材料２を得る際に使用した図２のパターンの画像を有する透過原稿を作成するにあたり、図１３に示したボロノイ図形を用いる以外は同様にして、光透過性導電材料４を得た。かかる光透過性導電材料４における絞り部分の細線の平均角度Ｃは４５．１９°、ダイヤモンド部分の細線の平均角度Ｄは４４．０９°であり、該光透過性導電層は本発明の要件であるＤ＞Ｃの関係を満たさない。なお図１３に示したボロノイ図形は、
まず一辺の長さが３００μｍの正方形を原多角形として平面を充填し、次にこれら原多角形の重心から各頂点までの長さに対して８０％の位置を結んで出来る縮小多角形を作成し、該縮小多角形の中に母点を不規則に各々１つ配置した。このように配置された母点に基づきボロノイ図形を作図することにより得た。
【００６３】
＜光透過性導電材料５＞
透過原稿のパターンを図２から図３に変更し、センサー部３１並びにダミー部３２が有する金属細線パターンとして、図７に示したボロノイ図形の作成において母点を不規則に発生させるところから再度作図したボロノイ図形を用いた。具体的には、まず一辺の長さが３７５μｍの正方形を原多角形として平面を充填し、次にこれら原多角形の重心から各頂点までの長さに対して８０％の位置を結んで出来る縮小多角形を作成し、該縮小多角形の中に母点を不規則に各々１つ配置した。このように配置された母点に基づきボロノイ図形を作図した。そのボロノイ図形（「ｘ方向の、１つのダイヤモンド部分と１つの絞り部分を合わせた幅の部分」×「ｙ方向全幅」の相当する範囲にある画像パターン）のｘ方向とｙ方向を入れ換え、図３中ｘ方向に周期Ｌ、ｙ方向に周期Ｐで繰り返し貼り付けることにより作製した透過原稿を使用した以外は同様にして、下方電極層として金属銀画像を有する光透過性導電材料５を得た。なお該透過原稿では、図中ｙ方向に伸びたセンサー部３１は、ダミー部３２を挟んで該ｙ方向に垂直なｘ方向に６．０ｍｍの周期で１０本並んでおり、該センサー部３１はｙ方向に６．０ｍｍの周期でダイヤモンド部分と絞り部分が設けられている。絞り部分の細線の平均角度Ｃは４４．８７°、ダイヤモンド部分の細線の平均角度Ｄは４４．７５°であり、該光透過性導電層は本発明の要件であるＤ＞Ｃの関係を満たさない。
【００６４】
＜光透過性導電材料６＞
光透過性導電材料５を得る際に使用した図３のパターンの画像を有する透過原稿を作成するにあたり、センサー部３１並びにダミー部３２が有する金属細線パターンとして、図８に示した図形の作成において、母点を不規則に発生させるところから再度作図した図形を用いた。具体的には、まず一辺の長さが３７５μｍの正方形を原多角形として平面を充填し、図２のセンサー部２１が有する絞り部分に相当する位置の原多角形をｘ方向に２／３倍にて縮小した。次に原多角形およびｘ方向に２／３倍にて縮小した原多角形について、これら原多角形の重心から各頂点までの長さに対して８０％の位置を結んで出来る縮小多角形を作成し、該縮小多角形の中に母点を不規則に各々１つ配置した。このように配置された母点に基づきボロノイ図形を作図し、先に２／３倍にて縮小した部分のボロノイ図形をｘ方向に３／２倍拡大した。その図形（「ｘ方向の、１つのダイヤモンド部分と１つの絞り部分を合わせた幅の部分」×「ｙ方向全幅」の相当する範囲にある画像パターン）のｘ方向とｙ方向を入れ換え、図３中ｘ方向に周期Ｌ、ｙ方向に周期Ｐで繰り返し貼り付けることにより作製した透過原稿を使用した以外は同様にして、下方電極層として金属銀画像を有する光透過性導電材料６を得た。なお該透過原稿では、図中ｙ方向に伸びたセンサー部３１は、ダミー部３２を挟んで該ｙ方向に垂直なｘ方向に６．０ｍｍの周期で１０本並んでおり、該センサー部３１はｙ方向に６．０ｍｍの周期でダイヤモンド部分と絞り部分が設けられている。絞り部分の細線の平均角度Ｃは３５．４６°、ダイヤモンド部分の細線の平均角度Ｄは４４．７５°であり、該光透過性導電層は本発明の要件であるＤ＞Ｃの関係を満たす。
【００６５】
＜光透過性導電材料７＞
光透過性導電材料５を得る際に使用した図３のパターンの画像を有する透過原稿を作成するにあたり、センサー部３１並びにダミー部３２が有する金属細線パターンとして、図８に示した図形の作成における図１０のＸ１１〜Ｘ１６部分のｘ方向原多角形縮小倍率を１／３倍に変え、その後のボロノイ図形のｘ方向拡大倍率を３倍に変えて得られた図形（「ｘ方向の、１つのダイヤモンド部分と１つの絞り部分を合わせた幅の部分」×「ｙ方向全幅」の範囲にある画像パターン）のｘ方向とｙ方向を入れ換え、図３中ｘ方向に周期Ｌ、ｙ方向に周期Ｐで繰り返し貼り付けることにより作製した透過原稿を使用した以外は同様にして、下方電極層として金属銀画像を有する光透過性導電材料７を得た。なお該透過原稿では、図中ｙ方向に伸びたセンサー部３１は、ダミー部３２を挟んで該ｙ方向に垂直なｘ方向に６．０ｍｍの周期で１０本並んでおり、該センサー部３１はｙ方向に６．０ｍｍの周期でダイヤモンド部分と絞り部分が設けられている。絞り部分の細線の平均角度Ｃは２４．８１°、ダイヤモンド部分の細線の平均角度Ｄは４４．７５°であった。該光透過性導電層は本発明の要件であるＤ＞Ｃの関係を満たす。
【００６６】
＜光透過性導電材料８＞
光透過性導電材料５を得る際に使用した図３のパターンの画像を有する透過原稿を作成するにあたり、センサー部３１並びにダミー部３２が有する金属細線パターンとして、図１３に示したボロノイ図形の作成において、母点をランダムに発生させるところから再度作図したボロノイ図形を用いた。具体的には、まず一辺の長さが３００μｍの正方形を原多角形として平面を充填し、次にこれら原多角形の重心から各頂点までの長さに対して８０％の位置を結んで出来る縮小多角形を作成し、該縮小多角形の中に母点を不規則に各々１つ配置した。このように配置された母点に基づきボロノイ図形を作図することにより得た。そのボロノイ図形（「ｘ方向の、Ｘ０１からＸ２０の部分」×「ｙ方向の、Ｙ０１からＹ２０の部分」の相当する範囲にある画像パターン）のｘ方向とｙ方向を入れ換え、図３中ｘ方向に周期Ｌ、ｙ方向に周期Ｐで繰り返し貼り付けることにより作製した透過原稿を使用した以外は同様にして、下方電極層として金属銀画像を有する光透過性導電材料８を得た。なお該透過原稿では、図中ｙ方向に伸びたセンサー部３１は、ダミー部３２を挟んで該ｙ方向に垂直なｘ方向に６．０ｍｍの周期で１０本並んでおり、該センサー部３１はｙ方向に６．０ｍｍの周期でダイヤモンド部分と絞り部分が設けられている。絞り部分の細線の平均角度Ｃは４６．９８°、ダイヤモンド部分の細線の平均角度Ｄは４６．４０°であった。該光透過性導電層は本発明の要件であるＤ＞Ｃの関係を満たさない。
【００６７】
＜タッチパネルの作製＞
得られた光透過性導電材料１〜８と厚さ２ｍｍ化学強化ガラス板を、各々の光透過性導電材料の金属銀画像面をガラス板側へ向け、光学粘着テープ（ＭＨＮ−ＦＷＤ１００  日栄化工社製、以下単にＯＣＡと略）を用い、四隅のアライメントマーク（＋印）が一致するようにして、貼合順がガラス板／ＯＣＡ／光透過性導電材料１〜４／ＯＣＡ／光透過性導電材料５〜８となるよう表１の組み合わせにて貼合し、タッチパネル１〜４を作製した。
【００６８】
得られたタッチパネル１〜４について、以下の手順に従って評価した。
【００６９】
＜視認性＞
得られたタッチパネルを全面白画像表示したＡＯＣ社製Ｉ２２６７ＦＷＨ  ２１．５型ワイド液晶モニタの上に載せ、モアレ、あるいはムラがはっきりわかるものを×、少しわかるものを△、よく見ればわかるが実用上の問題はないものを△○、全くわからないものを○とした。
【００７０】
＜タッチ検出感度＞
得られたタッチパネルを投影型静電容量方式のコントロールボードに接続し、指で触れて操作性を確認した。応答速度が遅く操作性に問題があるものを×、やや応答速度が遅く操作性に若干の問題があるものを△、やや応答速度が遅いが操作性にほとんど問題のないものを△○、応答速度が速く操作性に全く問題のないものを○とした。
【００７１】
＜全光線透過率＞
得られたタッチパネルの全光線透過率をヘーズメーターＨＺ−Ｖ３（スガ試験機社製）を用いて測定した。
【００７２】
【表１】
2019179462.tif 000005
【００７３】
結果を表１に示した。本発明の光透過性導電材料の組み合わせであるタッチパネル２は透過率が高くタッチ検出感度にも優れる良好な結果であった。比較例の光透過性導電材料の組み合わせであるタッチパネル１は、タッチパネル２と比べると透過率は同様に高いがタッチ検出感度が劣る結果であった。センサー部の絞り部分の金属細線パターンを構成する細線の平均角度Ｃが３０°未満の本発明の光透過性導電材料の組み合わせであるタッチパネル３は、視認性において実用上の問題のない範囲で僅かにムラが見られたが、透過率が高くタッチ検出感度にも優れる結果であった。一方、小さい原多角形から作製した比較例の光透過性導電材料の組み合わせであるタッチパネル４は、タッチ検出感度はタッチパネル２と同様に問題ないが、透過率が８７％未満であり低い結果であった。以上の結果から、本発明によって、液晶ディスプレイに重ねてもモアレが発生せず視認性に優れた、透過率を低下させることなくタッチ検出感度の優れた光透過性導電材料が得られ、平均角度Ｃは３０°〜４０°が特に好ましいことがわかる。
【符号の説明】
【００７４】
１  上方電極層
２  下方電極層
４、５  光透過性支持体
２１、３１  センサー部
２２、３２  ダミー部
２３、３３  周辺配線部
２４、３４  端子部
４１  絞り部分
５１、７１、７２、８１、８２、１３１、１３２  枠
ａ、ｂ  仮の輪郭線
【図１】
2019179462.tif 000006
【図２】
2019179462.tif 000007
【図３】
2019179462.tif 000008
【図４】
2019179462.tif 000009
【図５】
2019179462.tif 000010
【図６】
2019179462.tif 000011
【図７】
2019179462.tif 000012
【図８】
2019179462.tif 000013
【図９】
2019179462.tif 000014
【図１０】
2019179462.tif 000015
【図１１】
2019179462.tif 000016
【図１２】
2019179462.tif 000017
【図１３】
2019179462.tif 000018